(57)【要約】【課題】従来の浴槽保温シートは、保温力向上に向けたものが多かった。また、保温シートは入浴中は浴槽から取り除く必要があり、保温に役立たないばかりか、保管場所をとる邪魔で無用な長物であった。入浴中も利用でき、楽しみや癒し効果のある保温シートを実現した。【解決手段】浴槽に浮かべる保温シートの長手方向の一端から所定長の任意数の切割を所定間隔で設け、入浴中にも切割部により保護シートの切片部をかき分け入浴することができ様にした。【選択図】図１
2013165813.tif 000002
【特許請求の範囲】
【請求項１】
浴槽に浮かべる保温シートにおいて、長手方向の1側から所定長の任意数の切割を所定間隔で設けたことを特徴とする浴槽保温シート。
【請求項２】
前記保温シートにおいて、上側面に印刷可能な面又は印刷済フイルムの貼着可能な面を備えたことを特徴とする請求項１に記載の浴槽保温シート。
【請求項３】
前記保温シートにおいて、切片部の所定面にＬＥＤと、非切片部の上側面に電池を備えるソーラパネル又は電池を設けたことを特徴とする請求項１又は２に記載の浴槽保温シート。
【請求項４】
前記保温シートにおいて、非切割部に容器固着部を設けたことを特徴とする請求項１から３のいずれかに記載の浴槽保温シート。
【発明の詳細な説明】
【技術分野】
【０００１】
本発明は、浴槽保温シートに関するものである。
【背景技術】
【０００２】
従来、浴槽の湯面に敷設し風呂沸かし時間を短縮し、その後も湯を保温する浴槽保温シートが知られている。
従来の浴槽保温シートでは、保温力の向上に関する発明開示が多かった。
【０００３】
特開２００１−２９２９２１号広報では２層又は３層の繊維シートが積層一体化され、浴槽の湯の上層部に密着し、実開平０５−０７２２９０号広報では銀色の反射シートの間に発泡体を挟み、実登３１５８４７６号広報では気泡緩衝層と熱反射層が幾層にも形成され、実登３０４３０４０号広報ではアルミニウムを蒸着した合成樹脂フィルム面とアルミニウム箔を接着した発泡ポリエチレン層から形成されたものであった。
【先行技術文献】
【特許文献】
【０００４】
【特許文献１】特開２００１−２９２９２１号広報
【０００５】
【特許文献２】実開平０５−０７２２９０号広報
【０００６】
【特許文献３】実登３１５８４７６号広報
【０００７】
【特許文献４】実登３０４３０４０号広報
【０００８】
【特許文献５】特開２００６−１５０００５号広報
【０００９】
【特許文献６】特開２００４−０４１６３３号広報
【発明の概要】
【発明が解決しようとする課題】
【００１０】
従来の浴槽保温シートは、保温力向上に向けたものが多かった。
また、浴槽保温シートは、入浴中は保温シートを浴槽から取り除く必要があり、保温に役立たないばかりか、保管場所をとる邪魔で無用な長物であった。
本発明は、浴槽使用前後の保温効果向上のみに向けられてきた浴槽保温シートを、入浴中も利用でき、楽しみや癒し効果のある保温シートを実現したものである。
【課題を解決するための手段】
【００１１】
浴槽に浮かべる保温シートは、長手方向の一端から所定長の任意数の切割を所定間隔で設け、入浴中にも切割部により保護シートの切片部をかき分け入浴することができ、他部は湯面を覆うため保温効果が保てる。
【００１２】
前記保温シートは、上側面に印刷可能な面又は印刷済フイルムの貼着可能な面を備え、キャラクターや写真フイルムを貼着し浴場を会話の場にできる。
【００１３】
前記の保温シートは、切片部の所定面に設けられたＬＥＤと、非切片部の上側面に該ＬＥＤを点灯させるための電池を備えるソーラパネル又は電池とを設け、該ＬＥＤの点滅によりエンターテイメント性を高めた。切片が入浴により押されて湯中に没した際には、湯水を通したＬＥＤの点滅は幻想的な効果をもたらし、更にエンターテイメント性は高まる。
前記保温シートの天日干しは、省電力な充電であり継続使用を進めるが、電池を備えるソーラパネルは、電池のみであっても良い。
【００１４】
前記保温シートは、非切割部に容器固着部を設け、アロマ容器を固着でき入浴中にも癒し効果を楽しむことができる。風呂の湯気によりアロマ効果は一層高まる。
【００１５】
また、前記の保温シートの切片部の下側面に殺菌機能を設ければ、浴槽の殺菌効果を高め衛生管理にも役立つ。
【発明の効果】
【００１６】
従来、浴槽保温シートは、湯の保温で、省エネに目を向けた発明開示が多かった。
このため、浴槽保温シートは、入浴中には保管場所をとる邪魔で無用な長物であった。
この浴槽保温シートを、入浴中にも保温効果を維持させ、写真等の貼着による会話向上やエンターテイメント性や癒し効果向上を図り、入浴が更に楽しくなる浴槽保温シートとし、新たな浴槽環境を提案した。
【図面の簡単な説明】
【００１７】
【図１】図１は、本発明の前記浴槽保温シート斜視外観図である。
【図２】図２は、図１のＡ部拡大図である。
【図３】図３は、請求項２の上側面を説明するためのものである。
【図４】図４は、図３のＢ部の拡大図である。
【図５】図５は、請求項３を説明するための図である。
【図６】図６は、請求項４を説明するための図である。
【図７】図７は、図６のＡ部の拡大図である。
【発明を実施するための形態】
【００１８】
本発明を図に従って説明する。
【実施例１】
【００１９】
図１において、前記浴槽保温シート１は、切割部２と非切割部３とを備え、切割部２には前記浴槽保温シート１の長手方向に一端から多数の切割４が設けられている。他端は切割されない所定長が非切割部３としてつながり設けられている。
【００２０】
前記切割部２は、図２に図示する様に切割溝４により左右が切り離された多数の切片を備えた構造で設けられている。
【００２１】
従って、前記浴槽保温シート１を使用した場合には、切割部２から切片を押し分け入浴することができる。
押し分けられた切片以外は湯面を覆うため、湯温低下を防止することができる。
【実施例２】
【００２２】
図３により請求項２を説明する。
切割溝４により切割された切片には、フィルムを貼着出来る面として、貼着面５を備えている。
フィルムの貼着面を切割溝４に沿って切割された、各々は図４の様に切片である貼着面５は、切片が並んでいる時には写真等を表すことができる。
保温シートの機能は損なわずに画像や写真等を表現することができエンターテイメント性を高めることができる。
【実施例３】
【００２３】
図５は請求項３を説明するためのものである。
切片部２の上側面に複数のＬＥＤと、非切片部の上側面に電池を備えるソーラパネルを設けた。
ＬＥＤの点滅は、幻想的な雰囲気を醸し出すことができる。
入浴により湯中に沈んだＬＥＤの点滅は、一層幻想的な雰囲気を醸成することができる。
【００２４】
前記保温シートの天日干しは、省電力な充電であり継続使用を進めるが、電池を備えるソーラパネルは、電池のみであっても良い。
【００２５】
また、前記の保温シートの切片部の下側面に殺菌機能を設ければ、浴槽の殺菌効果を高め衛生管理向上にも役立つ。
【実施例４】
【００２６】
図６は、請求項４を説明するものである。
前記保温シート１は、非切割部３に容器固着部８を設け、アロマ容器を固着でき入浴中にも香りを楽しめ癒し効果を増すことができる。風呂の湯気によりアロマ効果は一層高まる。
容器固着部８は、前記保温シート１の非切割部３に設けられた容器保持穴８−１と、該容器保持穴８−１を取り囲み設けられ、挿着されたアロマ容器を下方から支える容器保持器８−３と、前記アロマ容器を側面から挟み込み、転倒を防止する容器挟着爪８−２とを備え設けられる。
【００２７】
前記容器保持穴８−１が、穴の弾性によりアロマ容器を挟持出来れば、容器挟着爪８−２は設けなくても良い。
【産業上の利用可能性】
【００２８】
従来、保温効果にしか目が向けられなかった浴槽保温シートを、エンターテイメント性で入浴を楽しくし、癒し効果もある浴槽保温シートとすることで、入浴が更に効果的となり、新しい入浴環境を提案することができる。
【符号の説明】
【００２９】
１  浴槽保温シート
２  切割部
３  非切割部
４  切割溝  
５  貼着面
６  ソーラパネル部
７  ＬＥＤ
８  容器固着部  
８−１  容器保持穴
８−２  容器挟着爪
８−３  容器保持器
【図１】
2013165813.tif 000003
【図２】
2013165813.tif 000004
【図３】
2013165813.tif 000005
【図４】
2013165813.tif 000006
【図５】
2013165813.tif 000007
【図６】
2013165813.tif 000008
【図７】
2013165813.tif 000009
【手続補正書】
【提出日】平成24年5月18日(2012.5.18)
【手続補正１】
【補正対象書類名】明細書
【補正対象項目名】０００４
【補正方法】変更
【補正の内容】
【０００４】
【特許文献１】特開２００１−２９２９２１号公報
【手続補正２】
【補正対象書類名】明細書
【補正対象項目名】０００５
【補正方法】変更
【補正の内容】
【０００５】
【特許文献２】実開平０５−０７２２９０号公報
【手続補正３】
【補正対象書類名】明細書
【補正対象項目名】０００６
【補正方法】変更
【補正の内容】
【０００６】
【特許文献３】実登３１５８４７６号公報
【手続補正４】
【補正対象書類名】明細書
【補正対象項目名】０００７
【補正方法】変更
【補正の内容】
【０００７】
【特許文献４】実登３０４３０４０号公報
【手続補正５】
【補正対象書類名】明細書
【補正対象項目名】０００８
【補正方法】変更
【補正の内容】
【０００８】
【特許文献５】特開２００６−１５０００５号公報
【手続補正６】
【補正対象書類名】明細書
【補正対象項目名】０００９
【補正方法】変更
【補正の内容】
【０００９】
【特許文献６】特開２００４−０４１６３３号公報